(57)【要約】【課題】  キーワード検索おいてユーザが検索用に設定するキーワードの適合率を高めることができる。【解決手段】  プリンタにおいてユーザによりメモリカードに記憶された画像ファイルの検索処理が選択されると、メモリカードに記憶された画像ファイルに対応付けられているキーワードをすべて読み出し、プリンタに登録されたキーワードであるときにはそれに対応するアイコンを、プリンタに登録されていないキーワードであるときには代替アイコンを選択可能に表示する（Ｓ１２０〜Ｓ１７０）。このとき、各キーワードは画像ファイルのメタデータから取得する。表示したアイコンが検索用のアイコンとしてユーザにより選択され（Ｓ２１０）、検索の指示があると（Ｓ２４０）、設定された検索条件に適合するファイルを検索する（Ｓ２５０）。このプリンタでは、メモリカードに含まれているキーワードのみが検索用キーワードとして選択可能に表示される。【選択図】        図９
2006330996.tif 000002
【特許請求の範囲】
【請求項１】
ファイルに対応付けられた１以上の被検索用キーワードとユーザが選択した検索用キーワードとを利用してファイルを検索するファイル検索装置であって、
画像を表示可能な表示手段と、
検索対象ファイルに対応付けられた前記被検索用キーワードを取得する取得手段と、
前記取得手段によって取得された前記被検索用キーワードをユーザが前記検索用キーワードとして選択可能な態様で前記表示手段に表示させる表示制御手段と、
を備えたファイル検索装置。
【請求項２】
請求項１に記載のファイル検索装置であって、
前記被検索用キーワードにアイコンを対応付けて記憶する情報記憶手段、を備え、
前記表示制御手段は、前記取得手段によって取得された前記被検索用キーワードに対応付けられたアイコンを前記情報記憶手段から読み出し該読み出したアイコンをユーザが前記検索用キーワードとして選択可能な態様で前記表示手段に表示させる、
ファイル検索装置。
【請求項３】
前記表示制御手段は、前記取得手段によって取得された前記被検索用キーワードが前記情報記憶手段に予め記憶されたアイコンに対応付けられていない未登録の被検索用キーワードであるときには、該未登録の被検索用キーワードに対応するアイコンとして所定の代替アイコンを前記情報記憶手段から読み出し該読み出した代替アイコンをユーザが前記検索用キーワードとして選択可能な態様で前記表示手段に表示させる、
請求項２に記載のファイル検索装置。
【請求項４】
請求項３に記載のファイル検索装置であって、
前記未登録の被検索用キーワードに対応する代替アイコンと前記情報記憶手段に予め記憶されているアイコンとがユーザにより選択されたときには、該代替アイコンに対応する未登録の被検索用キーワードを該予め記憶されているアイコンに対応付けて前記情報記憶手段に登録する登録手段、
を備えたファイル検索装置。
【請求項５】
前記表示制御手段は、前記未登録の被検索用キーワードを前記予め記憶されているアイコンに対応付けて前記情報記憶手段に登録するに際して、ユーザにより前記代替アイコンが選択されたときには、該代替アイコンに対応する未登録の被検索用キーワードを前記表示手段に文字表示させると共に前記予め記憶されたアイコンを選択可能な態様で前記表示手段に表示させる、
請求項４に記載のファイル検索装置。
【請求項６】
請求項２〜５のいずれかに記載のファイル検索装置であって、
被検索用キーワードを付与するファイルと前記被検索用キーワードが対応付けられているアイコンとがユーザにより選択されたときには、該アイコンに対応する被検索用キーワードを該ファイルに対応付ける付与手段、
を備えたファイル検索装置。
【請求項７】
前記表示制御手段は、前記アイコンに対応する被検索用キーワードを前記ファイルに対応付けるに際して、ユーザにより前記被検索用キーワードを付与するファイルが選択されたときには、前記被検索用キーワードが対応付けられているアイコンを前記情報記憶手段から読み出し該読み出したアイコンを選択可能な態様で前記表示手段に表示させる、
請求項６に記載のファイル検索装置。
【請求項８】
前記表示制御手段は、現在選択されている前記アイコンに対応する被検索用キーワードの文字を該アイコンと共に前記表示手段に表示させる、
請求項２〜７のいずれかに記載のファイル検索装置。
【請求項９】
前記取得手段は、前記検索対象ファイルのメタデータに含まれている所定のキーワード欄から前記被検索用キーワードを取得する、
請求項１〜８のいずれかに記載のファイル検索装置。
【請求項１０】
前記取得手段は、前記検索対象ファイルのメタデータを含み該含んだメタデータを用いて該ファイルを取得可能に作成されたファイル管理情報の該メタデータから前記被検索用キーワードを取得する、
請求項９に記載のファイル検索装置。
【請求項１１】
請求項１〜１０のいずれかに記載のファイル検索装置と、
前記ファイル検索装置によって検索されたファイルに含まれる内容を着色剤によって印刷媒体に印刷する印刷ユニットと、
を備えた印刷装置。
【請求項１２】
ファイルに対応付けられた１以上の被検索用キーワードとユーザが選択した検索用キーワードとを利用してファイルを検索するファイル検索方法であって、
（ａ）検索対象ファイルに対応付けられた前記被検索用キーワードを取得するステップと、
（ｂ）前記ステップ（ａ）で取得した被検索用キーワードをユーザが前記検索用キーワードとして選択可能な態様で表示手段に表示させるステップと、
を含むファイル検索方法。
【請求項１３】
請求項１２に記載のファイル検索方法の各ステップを１又は複数のコンピュータに実現させるためのプログラム。
【発明の詳細な説明】
【技術分野】
【０００１】
本発明は、ファイル検索装置、印刷装置、ファイル検索方法及びそのプログラムに関する。
【背景技術】
【０００２】
従来、ファイル検索装置としては、キーワードアイコンを用いてファイルを検索するものが提案されている（例えば、特許文献１参照）。この特許文献１に記載された装置は、データベースに登録されているデータに対応付けられたキーワードをそれぞれ図形的に表示するキーワードアイコンを準備しておき、検索条件設定ウインドウ内に少なくとも１つのキーワードアイコンを配置することにより検索条件を設定する。このように、アイコンを用いて検索条件の設定を簡便なものとする。
【特許文献１】特開平１０−２８９２５１号公報
【発明の開示】
【発明が解決しようとする課題】
【０００３】
しかしながら、この特許文献１に記載されたファイル検索装置では、先に準備したキーワードアイコンには、検索しようとする範囲（例えば記憶媒体全体や、フォルダなど）にある検索対象ファイルには存在しないキーワードに対応するアイコンが含まれていることがあり、この中から検索用のアイコンを選択すると、検索を実行しても検索用のアイコンに対応するキーワードがヒットしないことがあった。
【０００４】
本発明は、このような課題に鑑みなされたものであり、キーワード検索おいてユーザが検索用に設定するキーワードの適合率を高めることができるファイル検索装置、印刷装置、ファイル検索方法及びそのプログラムを提供することを目的とする。
【課題を解決するための手段】
【０００５】
本発明は、上述の目的を達成するために以下の手段を採った。
【０００６】
本発明のファイル検索装置は、
ファイルに対応付けられた１以上のキーワードとユーザが選択した検索用キーワードとを利用してファイルを検索するファイル検索装置であって、
画像を表示可能な表示手段と、
検索対象ファイルに対応付けられた前記被検索用キーワードを取得する取得手段と、
前記取得手段によって取得された前記被検索用キーワードをユーザが前記検索用キーワードとして選択可能な態様で前記表示手段に表示させる表示制御手段と、
を備えたものである。
【０００７】
このファイル検索装置では、検索対象ファイルに対応付けられた被検索用キーワードを取得し、該取得した被検索用キーワードをユーザが検索用キーワードとして選択可能な態様で表示する。つまり、ユーザが検索用キーワードとして選択可能なキーワードには、検索対象ファイルに対応付けられた被検索用キーワードのみが含まれている。したがって、キーワード検索おいてユーザが検索用に設定するキーワードの適合率を高めることができる。ここで、検索対象ファイルとは、記憶媒体に記憶されているすべてのファイルとしてもよいし、ユーザが指定した範囲（例えば作成日時の範囲や、記憶媒体に記憶されたフォルダの範囲など）の記憶媒体に記憶されているファイルとしてもよい。
【０００８】
本発明のファイル検索装置は、前記被検索用キーワードにアイコンを対応付けて記憶する情報記憶手段、を備え、前記表示制御手段は、前記取得手段によって取得された前記被検索用キーワードに対応付けられたアイコンを前記情報記憶手段から読み出し該読み出したアイコンをユーザが前記検索用キーワードとして選択可能な態様で前記表示手段に表示させてもよい。こうすれば、被検索用キーワードがアイコン表示されるため、キーワードを視覚的に認識しやすい。
【０００９】
この態様を採用した本発明のファイル検索装置において、前記表示制御手段は、前記取得手段によって取得された前記被検索用キーワードが前記情報記憶手段に予め記憶されたアイコンに対応付けられていない未登録の被検索用キーワードであるときには、該未登録の被検索用キーワードに対応するアイコンとして所定の代替アイコンを前記情報記憶手段から読み出し該読み出した代替アイコンをユーザが前記検索用キーワードとして選択可能な態様で前記表示手段に表示させてもよい。こうすれば、アイコンに対応付けられて記憶されていない被検索用キーワードもアイコン表示することができる。
【００１０】
この態様を採用した本発明のファイル検索装置は、前記未登録の被検索用キーワードに対応する代替アイコンと前記情報記憶手段に予め記憶されているアイコンとがユーザにより選択されたときには、該代替アイコンに対応する未登録の被検索用キーワードを該予め記憶されているアイコンに対応付けて前記情報記憶手段に登録する登録手段、を備えてもよい。こうすれば、代替アイコンに対応する未登録の被検索用キーワードをユーザが自分の好みで選択したアイコンに対応付けて登録する際にキーワードの入力の手間がいらない。このとき、前記表示制御手段は、前記未登録の被検索用キーワードを前記予め記憶されているアイコンに対応付けて前記情報記憶手段に登録するに際して、ユーザにより前記代替アイコンが選択されたときには、該代替アイコンに対応する未登録の被検索用キーワードを前記表示手段に文字表示させると共に前記予め記憶されたアイコンを選択可能な態様で前記表示手段に表示させてもよい。こうすれば、未登録の被検索用キーワードと該未登録の被検索用キーワードを対応付けるアイコンとが１画面上に表示されるため、どのアイコンに未登録の被検索用キーワードを対応付けるかを確認しやすい。
【００１１】
上述の情報記憶手段を備えた態様を採用した本発明のファイル検索装置は、被検索用キーワードを付与するファイルと前記被検索用キーワードが対応付けられているアイコンとがユーザにより選択されたときには、該アイコンに対応する被検索用キーワードを該ファイルに対応付ける付与手段、を備えてもよい。こうすれば、ファイルに対応付けたい被検索用キーワードが既にアイコンに対応付けられているときにはファイルに被検索用キーワードを対応付ける際のキーワード入力の手間を省くことができる。このとき、前記表示制御手段は、前記アイコンに対応する被検索用キーワードを前記ファイルに対応付けるに際して、ユーザにより前記被検索用キーワードを付与するファイルが選択されたときには、前記被検索用キーワードが対応付けられているアイコンを前記情報記憶手段から読み出し該読み出したアイコンを選択可能な態様で前記表示手段に表示させてもよい。こうすれば、被検索用キーワードを比較的選択しやすい。
【００１２】
上述の情報記憶手段を備えた態様を採用した本発明のファイル検索装置において、前記表示制御手段は、現在選択されている前記アイコンに対応する被検索用キーワードの文字を該アイコンと共に前記表示手段に表示させてもよい。こうすれば、アイコンに対応するキーワードを文字によって確認することができる。特に、前記代替アイコンが選択されているときには、該代替アイコンに対応するキーワードを文字で確認することができる。
【００１３】
本発明のファイル検索装置において、前記取得手段は、前記検索対象ファイルのメタデータに含まれている所定のキーワード欄から前記被検索用キーワードを取得してもよい。こうすれば、検索対象ファイルの被検索用キーワードを確実に取得することができる。このとき、前記取得手段は、前記検索対象ファイルのメタデータを含み該含んだメタデータを用いて該ファイルを取得可能に作成されたファイル管理情報の該メタデータから前記被検索用キーワードを取得してもよい。こうすれば、被検索用キーワードを各ファイルから読み出して取得するのに比べて容易に被検索用キーワードを取得することができる。あるいは、前記取得手段は、前記検索対象ファイルに対応付けられた被検索用キーワードを該検索対象ファイルに含まれている所定のキーワード欄から取得してもよい。なお、前記検索対象ファイルのメタデータは、該検索対象ファイルが記憶されている記憶媒体に記憶されていてもよい。
【００１４】
なお、本発明のファイル検索装置は、前記表示手段に表示された被検索用キーワードがユーザによって選択されたときには該選択された被検索用キーワードを検索用キーワードとして設定する設定手段、を備えてもよい。このとき、前記表示制御手段は、前記取得手段によって取得された前記被検索用キーワードを前記検索用キーワードとして選択可能な態様で前記表示手段に表示させると共に前記設定手段によって設定された検索用キーワードを前記表示手段に表示させてもよい。こうすれば、検索対象ファイルの被検索用キーワードから検索用キーワードを選択可能であり、被検索用キーワードと検索用キーワードとを同時に確認可能であるため、検索条件を設定しやすい。また、本発明のファイル検索装置は、ユーザによって選択された検索用キーワードに対応するファイルを前記検索対象ファイルから検索する検索手段、を備えてもよい。こうすれば、検索対象ファイルに対応付けられた被検索用キーワードを取得して選択された検索用キーワードを利用して検索対象ファイルの検索を行うことができる。
【００１５】
本発明の印刷装置は、上述したいずれかに記載のファイル検索装置と、前記ファイル検索装置によって検索されたファイルに含まれる内容を着色剤によって印刷媒体に印刷する印刷ユニットと、を備えたものである。印刷装置は、例えば携帯用の記憶媒体（メモリカードやＣＤ−Ｒなど）に記憶した複数のファイルから目的のファイルを検索して印刷実行することが多く、ファイルを検索する必要性が高い。したがって、本発明を適用する意義が高い。
【００１６】
本発明のファイル検索方法は、
ファイルに対応付けられた１以上の被検索用キーワードとユーザが選択した検索用キーワードとを利用してファイルを検索するファイル検索方法であって、
（ａ）検索対象ファイルに対応付けられた前記被検索用キーワードを取得するステップと、
（ｂ）前記ステップ（ａ）で取得した被検索用キーワードをユーザが前記検索用キーワードとして選択可能な態様で表示手段に表示させるステップと、
を含むものである。
【００１７】
このファイル検索方法では、検索対象ファイルに対応付けられた被検索用キーワードを取得し、該取得した被検索用キーワードをユーザが検索用キーワードとして選択可能な態様で表示する。つまり、ユーザが検索用キーワードとして選択可能なキーワードには、検索対象ファイルに対応付けられた被検索用キーワードのみが含まれている。したがって、キーワード検索おいてユーザが検索用に設定するキーワードの適合率を高めることができる。なお、このファイル検索方法において、上述したファイル検索装置の種々の態様を採用してもよいし、また、上述したファイル検索装置の機能を実現するようなステップを追加してもよい。
【００１８】
本発明のプログラムは、上述したファイル検索方法の各ステップを１又は複数のコンピュータに実行させるためのものである。このプログラムは、コンピュータが読み取り可能な記憶媒体（例えばハードディスク、ＲＯＭ、ＦＤ、ＣＤ、ＤＶＤなど）に記録されていてもよいし、伝送媒体（インターネットやＬＡＮなどの通信網）を介して、あるコンピュータから別のコンピュータへ配信されてもよいし、その他どのような形で授受されてもよい。このプログラムを一つのコンピュータに実行させるか複数のコンピュータに分散して実行させれば、上述したファイル検索方法の各ステップが実行されるため、上述したファイル検索方法と同様の作用効果が得られる。
【発明を実施するための最良の形態】
【００１９】
次に、本発明を実施するための最良の形態を実施例を用いて説明する。
【実施例】
【００２０】
図１は、本発明の一実施例であるマルチファンクションプリンタ１０のブロック図であり、図２は、操作パネル４０の説明図であり、図３は、マニフェストの説明図であり、（ａ）がルートマニフェスト６１の概念図、（ｂ）がマニフェスト７１の概念図である。このマルチファンクションプリンタ１０は、図１に示すように、スロット１７に差し込まれたメモリカード１８を読み書き可能に接続するリーダライタ１６と、外部機器と接続可能な入出力部１９と、スキャナ機能を実行するスキャナ機構２１及びこのスキャナ機構２１を制御するスキャナＡＳＩＣ２２を含んで構成されるスキャナ部２０と、プリンタ機能を実現するプリンタ機構３１及びこのプリンタ機構３１を制御するプリンタＡＳＩＣ３２を含んで構成されるプリンタ部３０と、ユーザが各種の指示を入力する操作パネル４０と、装置全体の制御を司るコントローラ１１とを備えている。なお、「ＡＳＩＣ」とは、アプリケーション・スペシフィック・インテグレーテッド・サーキット（Application Specific Integrated Circuit）の略である。
【００２１】
スキャナ部２０は、スキャナ機構２１とスキャナＡＳＩＣ２２とを備えている。スキャナ機構２１は、いわゆるフラットベッド型であり、画像を読み取る媒体Ｍを載せるガラス面２３と、このガラス面２３を介して媒体Ｍを光学的に読み取るラインイメージセンサ２４と、媒体Ｍを読み取るためラインイメージセンサ２４を走査させる移動部２６とを備えている。スキャナＡＳＩＣ２２はスキャナ機構２１を制御する機能を備えたＩＣチップであり、スキャナ機構２１のラインイメージセンサ２４で読み取られたスキャンデータを、コントローラ１１のＲＡＭ１４に設けられたスキャナバッファ１４ａに格納する。本実施例のラインイメージセンサ２４は、媒体Ｍに向かって発光した後の反射光をレッド（Ｒ）、グリーン（Ｇ）、ブルー（Ｂ）の各色に分解してスキャンデータとする周知のカラーイメージセンサである。
【００２２】
プリンタ部３０は、プリンタ機構３１とプリンタＡＳＩＣ３２とを備えている。プリンタ機構３１は、インクジェット方式のフルカラープリンタとして構成されている。このプリンタ機構３１は、シアン・マゼンタ・イエロー・ライトシアン・ライトマゼンタ及びブラックの各色のインクを個別に収容したインクカートリッジ３４と、インクカートリッジから供給された各インクに圧力をかける圧力発生部３５と、圧力発生部３５で加圧されたインクを印刷媒体である記録紙Ｓに吐出する吐出口３６と、記録紙Ｓを搬送する搬送ローラ３８とを備えている。圧力発生部３５は、圧電素子（例えばピエゾ素子など）に電圧をかけることによりこの圧電素子を変形させてインクを加圧する方式を採用している。なお、この圧力発生部３５は、発熱抵抗体（例えばヒータなど）に電圧をかけインクを加熱して発生した気泡によりインクを加圧する方式を採用してもよい。プリンタＡＳＩＣ３２は、プリンタ機構３１を制御する機能を備えたＩＣチップであり、ＲＡＭ１４に設けられた印刷バッファ１４ｂ内の印刷データを１ページごとにビットマップイメージに展開し該展開した展開データを記録紙Ｓに印刷するようにプリンタ機構３１を制御する。
【００２３】
リーダライタ１６は、マルチファンクションプリンタ１０の筐体に設けられたスロット１７に差し込まれたメモリカード１８に対してデータの読み書きを行うものである。スロット１７には、図示しないセンサが設けられており、メモリカード１８の装着状態が把握可能になっている。このセンサは、メモリカード１８が装着されていないときには信号を出力せず、メモリカード１８が装着されたときには信号を出力するものである。メモリカード１８は、電気的に書き換え可能な携帯用の記憶媒体としてのフラッシュメモリであり、デジタルカメラ５０で撮影した画像ファイルなどを記憶する。このマルチファンクションプリンタ１０では、ユーザによって撮影された画像ファイルをＭＰＶ（Ｍｕｓｉｃ  Ｐｈｏｔｏ  Ｖｉｄｅｏ）形式でメモリカード１８に保存可能となっている。ＭＰＶとは、コンテンツとしてのアセットの内容を記述するためのメタデータの仕様を定めた規格である。アセットとは、ＭＰＶで取り扱うターゲットの１単位であり、単独の画像ファイル（例えば静止画ファイルなど）で構成されていたり複数の画像ファイル（例えば連続撮影した複数の静止画ファイルなど）で構成されていたりする。以下、このアセットを用いて説明する。ＭＰＶでは、マークアップ言語としてのＸＭＬで内容が記述されたマニフェストをコントロールファイルに用いる。このマニフェストには、アセットの保存場所の情報やアセットの作成日時，アセットに対応付けられた被検索用キーワードなどのメタデータが記述されている。したがって、マルチファンクションプリンタ１０は、このマニフェストを読み出して解析することにより、各アセット自体を読み出すことなくメモリカード１８のどこにどのようなアセットが記憶されているのかを容易に把握可能となっている。
【００２４】
ここで、メモリカード１８に記憶されているマニフェストの概念について図３を用いて説明する。ルートマニフェスト６１は、メモリカード１８が装着されたときにコントローラ１１により初めに読み込まれるマニフェストである。このルートマニフェスト６１には、他のマニフェスト７１にリンクするリンク情報６２が含まれている。また、このルートマニフェスト６１には、同じイベント（例えば運動会など）で撮影したとか同じ撮影日に撮影したというような所定の関係を有するアセットの集合体であるアルバムを特定可能なアルバム情報６３や、アルバムに含まれずに個別に存在するアセットを特定可能なアセット情報６７などが含まれている。アルバム情報６３には、アルバム名称６３ａやアセット情報６４，６５，…が含まれている。このアセット情報６４には、ファイルを特定するためのファイル名欄６４ａやこのファイルの保存場所を特定するファイルパス欄６４ｂ，画像の種類を区別するためのアセット種別欄６４ｃのほか、アセットの作成者欄６４ｄ，アセットの作成日時欄６４ｅ，アセットのキーワード欄６４ｆなどが含まれている。アセット種別としては、静止画（Ｓｔｉｌｌ）、音声付き画像（Ｓｔｉｌｌ  ｗｉｔｈ  Ａｕｄｉｏ）、マルチショット画像（Ｓｔｉｌｌ  Ｍｕｌｔｉｓｈｏｔ  Ｓｅｑｕｅｎｃｅ）、パノラマ画像（Ｓｔｉｌｌ  Ｐａｎｏｒａｍａ  Ｓｅｑｕｅｎｃｅ）及びその他のアセット（Ｏｔｈｅｒ）などがある。なお、ルートマニフェスト６１に含まれるその他のアセット情報についてもアセット情報６４と同様の内容が含まれている。
【００２５】
マニフェスト７１は、ルートマニフェスト６１に登録されているリンク情報６２のリンク先のマニフェストである。リンク情報６２には、リンクを特定するためのリンク名６２ａとマニフェスト７１の保存場所の情報であるリンクパス６２ｂとが含まれている。このマニフェスト７１には、アセット情報７３，７４，…が含まれている。なお、ルートマニフェスト６１やマニフェスト７１は、他のリンク情報や他のアルバム情報を含んで構成してもよい。ここで、マニフェストリンクとは、他のマニフェストにリンクする概念のことをいい、リンク情報とは、例えばリンク名称やリンクパスなどマニフェストリンクを具体的に特定可能な情報をいう。
【００２６】
入出力部１９は、外部記憶装置５２などの外部機器と接続可能な端子（例えばＵＳＢ端子など）により構成されている。外部記憶装置５２は、記憶媒体としての光ディスクＮ（例えばＤＶＤ−Ｒ、ＤＶＤ−ＲＷ、ＤＶＤ−ＲＡＭ、ＣＤ−Ｒ、ＣＤ−ＲＷなど）へのデータの書き込みや、書き込まれたデータの消去などを行うことができる光ディスクドライブとして構成されている。この外部記憶装置５２は、ケーブルを介して入出力部１９に接続されて、コントローラ１１からの指令によりマルチファンクションプリンタ１０からのデータを光ディスクＮに保存したり、光ディスクＮに保存されたデータをマルチファンクションプリンタ１０に出力したりする。このマルチファンクションプリンタ１０では、ユーザによって撮影された画像ファイルをＭＰＶ形式で外部記憶装置５２にセットされた光ディスクＮに保存可能となっている。なお、外部記憶装置５２は、外付けＨＤＤなどであってもよい。
【００２７】
操作パネル４０は、ユーザがマルチファンクションプリンタ１０に対して各種の指示を入力するためのデバイスであり、図１及び図２に示すように、各種の指示に応じた文字、図形又は記号が表示される表示部４２や、各種操作を行う操作部４４が設けられている。表示部４２は、カラー画像を表示する液晶パネルにより構成されている。操作部４４には、ユーザが処理や文字等を選択するカーソルなどを移動させるときに押下されるカーソルキー４４ａや処理選択などを決定するときに押下される決定キー４４ｂ、表示部４２に表示されている画面を他の画面に切り替えるときに押下される表示切替キー４４ｃ、表示部に表示されている画面を一つ前の画面に戻すときなどに押下される戻りキー４４ｄ、文字入力時に文字を変更するときなどに押下される増減キー４４ｅ、アイコンに対応付けられていない未登録の被検索用キーワードをアイコンに登録するときなどに押下される詳細メニューキー４４ｆなどが配置されている。
【００２８】
コントローラ１１は、ＣＰＵ１２を中心とするマイクロプロセッサとして構成されており（図１参照）、各種処理プログラムを記憶したＲＯＭ１３と、一時的にデータを記憶したりデータを保存したりするＲＡＭ１４と、データを書き込み消去可能なフラッシュメモリ１５とを備えている。このコントローラ１１は、バス４８を介してリーダライタ１６、入出力部１９、スキャナＡＳＩＣ２２、プリンタＡＳＩＣ３２及び操作パネル４０と接続されている。ＲＯＭ１３は、不揮発性の記憶デバイスであり、メモリカード１８に記憶されたアセットを検索するときに実行されるファイル検索プログラム１３ａやアセット情報に被検索用キーワードを付与するときに実行されるキーワード付与プログラム１３ｂや各種制御用プログラムや画面に配置するパーツのデータなどを記憶している。ＲＡＭ１４は、複数の領域を備えており、これらの領域には、スキャナ部２０により読み取られた画像情報を一時的に記憶するスキャナバッファ１４ａや、プリンタ部３０に印刷させる画像情報を一時的に記憶する印刷バッファ１４ｂがある。コントローラ１１のフラッシュメモリ１５には、予め用意されたアイコン画像とユーザが指定した被検索用キーワードとを対応付けたアイコン対応情報１５ａが記憶されている。図４は、アイコン対応情報１５ａの説明図である。予め用意されたアイコン画像には、ユーザにより被検索用キーワードが対応付けられているものや、まだユーザにより被検索用キーワードが対応付けられていないもの（キーワード欄が空欄のもの）がある。ここでは、１つのアイコン画像に対して１つの被検索用キーワードが対応付け可能となっている。コントローラ１１は、このアイコン対応情報１５ａを用いて、被検索用キーワードを表示部４２にアイコン表示する。
【００２９】
次に、こうして構成された本実施例のマルチファンクションプリンタ１０の動作について、まず、メモリカード１８に記憶されているアセットにユーザが被検索用キーワードを付与する際の動作について説明する。マルチファンクションプリンタ１０が起動したあと、図示しないメニュー画面でユーザがアセット選択処理を選択する。すると、ＣＰＵ１２は、メモリカード１８に記憶されている画像のサムネイル画像を表示部４２に表示する。ユーザがアセットを選択し表示切替キー４４ｃを押下すると、ＣＰＵ１２は、情報表示画面８５を表示部４２に表示する。図５は、情報表示画面８５の一例を表す説明図である。この情報表示画面８５には、アセットの種別を表示するアセット種別表示バー８５ａと、現在選択中のアセットのメタデータを表示するメタデータ表示部８５ｂと、操作方法を確認可能な操作方法表示バー８５ｄとが含まれている。なお、アセット種別表示バー８５ａには現在選択中のアセットの画像を縮小した縮小画像表示部８５ｃが表示されており、現在処理中の画像を確認可能となっている。メタデータ表示部８５ｂには、作成日時や被検索用キーワードなどマニフェストに含まれるアセットのメタデータの情報が表示される。
【００３０】
ユーザが選択したアセットの画像または、情報表示画面８５の表示中にユーザが詳細メニューキー４４ｆを押下すると、ＣＰＵ１２は、ＲＯＭ１３に記憶され、現在選択されているアセットに被検索用キーワードを付与するキーワード付与ルーチンを実行する。図６は、コントローラ１１のＣＰＵ１２により実行されるキーワード付与ルーチンのフローチャートである。このルーチンが実行されると、ＣＰＵ１２は、キーワード付与画面８１を表示部４２に表示する（ステップＳ３００）。図７は、キーワード付与画面８１の一例を表す説明図であり、（ａ）がキーワード入力前、（ｂ）がアイコンを用いたキーワード入力後の図である。キーワード付与画面８１は、処理内容を確認可能な処理情報表示バー８１ａと、アセットに付与される被検索用キーワードに対応するアイコンを表示する付与アイコン表示部８１ｂと、アセットへ付与する被検索用キーワードを入力するキーワード入力部８１ｃと、予め用意されたアイコンを並べて表示するキーワードアイコン表示部８１ｄと、選択中のアイコンに対応付けられた被検索用キーワードを文字表示する対応キーワード表示部８１ｅと、操作方法を確認可能な操作方法表示バー８１ｆと、アイコンなどを選択するカーソル８１ｇとにより構成されている。なお、処理情報表示バー８１ａには現在選択中のアセットの画像を縮小表示した縮小画像表示部８１ｈが表示されており、現在処理中の画像を確認可能となっている。キーワードアイコン表示部８１ｄには、アイコン対応情報１５ａに含まれているアイコン画像が並べて配置されている。ここでは、被検索用キーワードが既に対応付けられてフラッシュメモリ１５に記憶されているアイコンは、通常の表示態様とは異なる態様で表示するように設定されている。具体的には、被検索用キーワードが既に対応付けられているアイコンは、グレーアウトした状態で表示されるように設定されている。
【００３１】
次に、ＣＰＵ１２は、既に被検索用キーワードの対応付けられているアイコンが選択されたか否かを判定する（ステップＳ３１０）。アイコンが選択されたか否かの判定は、アイコンにカーソル８１ｇが配置されて増減キー４４ｅの「＋」キーが押下されたか否かにより行う。なお、カーソル８１ｇがアイコン上に配置されると、対応キーワード表示部８１ｅには、そのアイコンに対応する被検索用キーワードが表示されるようになっている。既に被検索用キーワードの対応付けられているアイコンが選択されていないときには、そのまま待機し、既に被検索用キーワードの対応付けられているアイコンが選択されたときには、キーワード入力部８１ｃに選択されたアイコンに対応する被検索用キーワードを入力する（ステップＳ３２０）。具体的には、キーワードアイコン表示部８１ｄにカーソル８１ｇを移動し（図７（ａ）参照）、増減キー４４ｅを押下してアイコンを選択すると該選択されたアイコンに対応する被検索用キーワードがキーワード入力部８１ｃに入力される（図７（ｂ）参照）。つまり、既にアイコンに被検索用キーワードが対応付けられているときには、そのアイコンを選択するだけで面倒な文字入力を行わずにキーワードを入力可能となっている。このとき、付与アイコン表示部８１ｂには選択されたアイコンが追加される。続いて、ＣＰＵ１２は、入力されたキーワードが確定されたか否かを決定キー４４ｂが押下されたか否かに基づいて判定し（ステップＳ３３０）、入力されたキーワードが確定されなかったときには、ステップＳ３１０〜Ｓ３２０の処理を繰り返す。つまり、現在選択中とは別のアイコンが選択されたときにはそのアイコンに対応する被検索用キーワードをキーワード入力部８１ｃに入力する。そして、入力されたキーワードが確定されたときには、入力されたキーワードを該当するアセット情報のキーワード欄に書き込み（ステップＳ３４０）、このルーチンを終了する。その後、図８に示すように、被検索用キーワードが付与された情報表示画面８５を表示部４２に表示する。
【００３２】
なお、キーワード付与画面８１では、付与アイコン表示部８１ｂに表示されたアイコンにカーソル８１ｇを配置して増減キー４４ｅの「−」キーを押下し決定キー４４ｂを押下して確定すると、そのアイコンに対応する被検索用キーワードが現在選択中のアセットから削除されるよう設定されている。また、キーワードアイコン表示部８１ｄにカーソル８１ｇが配置されているときに表示切替キー４４ｃが押下されると、他のキーワードアイコンを並べて配置した画面に切り替わるようになっている。また、操作方法表示バー８１ｆの表示内容は、例えばキーワード入力部８１ｃやキーワードアイコン表示部８１ｄに配置しているときなど、上述のようにカーソル８１ｇの配置位置に応じた操作方法に変更されるようになっている。
【００３３】
次に、メモリカード１８に記憶されているアセットを検索する動作について説明する。図９は、コントローラ１１のＣＰＵ１２により実行されるファイル検索ルーチンのフローチャートである。このルーチンは、ＲＯＭ１３に記憶され、ユーザが図示しないメニュー画面でアセットの検索実行を選択したときにＣＰＵ１２によって実行される。ここでは、説明の便宜上、メモリカード１８にＭＰＶ形式で記憶された画像ファイルを検索する場合について説明する。図９のルーチンが開始されると、ＣＰＵ１２は、記憶媒体としてのメモリカード１８をスロット１７に挿入する旨のメッセージを表示部４２に表示させ（ステップＳ１００）、メモリカード１８がスロット１７に挿入されたか否かを判定し（ステップＳ１１０）、メモリカード１８がスロット１７に挿入されていないときにはそのまま待機する。メモリカード１８が挿入されたか否かの判定は、スロット１７に設けられたセンサの信号に基づいて行う。
【００３４】
一方、メモリカード１８がスロット１７に挿入されたときには、メモリカード１８に含まれている被検索用キーワードを読み出す（ステップＳ１２０）。メモリカード１８に含まれているキーワードの読み出しは、メモリカード１８に保存されているルートマニフェスト６１やマニフェスト７１などに含まれているメタデータとしてのアセット情報のキーワード欄から読み出すことにより行う。次に、ＣＰＵ１２は、読み出した被検索用キーワードが予め用意されたアイコンに対応付けられているか否か、つまり、登録済みのキーワードであるか否かを判定する（ステップＳ１３０）。登録済みのキーワードであるか否かの判定は、読み出した被検索用キーワードがアイコン対応情報１５ａに含まれているか否かにより行う。読み出した被検索用キーワードが登録済みキーワードであるときには、該キーワードと該キーワードに対応付けられたアイコンとをＲＡＭ１４上に作成されたキーワード一覧１４ｃに記憶させ（ステップＳ１４０）、読み出した被検索用キーワードが登録済みキーワードでないときには、該キーワードと所定の代替アイコンとをＲＡＭ１４上のキーワード一覧１４ｃに記憶させる（ステップＳ１５０）。図１０は、ＲＡＭ１４上に作成されるキーワード一覧１４ｃの説明図である。ここでは、代替アイコンとしてクエスチョンマークのアイコンが用意されており、未登録キーワードにはすべて同じ代替アイコンが表示されるように設定されている（図１０参照）。続いて、ＣＰＵ１２は、メモリカード１８から読み出していない被検索用キーワードがあるか否かを判定し（ステップＳ１６０）、メモリカード１８からまだ読み出していない被検索用キーワードがあるときにはステップＳ１２０〜Ｓ１６０の処理を繰り返す。このとき、マニフェストにマニフェストリンクが登録されているときには、リンク先のアセット情報についても被検索用キーワードを読み出す処理を行う。このように、メモリカード１８に含まれているすべての被検索用キーワードを読み出す。
【００３５】
ステップＳ１６０でメモリカード１８に含まれているすべての被検索用キーワードを読み出したときには、ＣＰＵ１２は、読み出した被検索用キーワードに対応するアイコンをキーワード一覧１４ｃを用いて検索条件設定画面８３に並べて表示する（ステップＳ１７０）。ここで、検索条件設定画面８３について説明する。図１１は、ＭＰＶの検索条件設定画面８３の説明図であり、図１２は、検索用キーワードにアイコンを追加したときの検索条件設定画面８３の説明図である。検索条件設定画面８３は、処理内容を確認可能な処理情報表示バー８３ａと、アセットの絞り込み条件を設定可能な絞込条件設定入力部８３ｂと、検索用のアイコンを表示する検索用アイコン表示部８３ｃと、ステップＳ１２０で読み出したメモリカード１８に含まれているすべての被検索用キーワードに対応するアイコンを表示する自動読出アイコン表示部８３ｄと、作成日時による検索条件を入力可能な作成日時条件入力部８３ｅと、選択中のアイコンに対応付けられた被検索用キーワードを文字表示する対応キーワード表示部８３ｆと、操作方法を確認可能な操作方法表示バー８３ｈとにより構成されている。ここでは、読み出した被検索用キーワードに対応するアイコンを自動読出アイコン表示部８３ｄに並べて配置する。なお、代替アイコンが最後尾に配置されるようにソートをかけてアイコンを並べるように設定されている。
【００３６】
さて、ステップＳ１７０でアイコンを検索条件設定画面８３に並べて表示したあと、ＣＰＵ１２は、アイコン対応情報１５ａに登録されていないキーワード（未登録キーワード）の登録操作がされたか否かを判定する（ステップＳ１８０）。未登録キーワードの登録操作がされたか否かの判定は、代替アイコンにカーソル８７ｇが配置されることにより該代替アイコンが指定され詳細メニューキー４４ｆが押下されたか否かに基づいて行う。未登録キーワードの登録操作がされたときには、キーワード登録処理を実行する（ステップＳ１９０）。このキーワード登録処理の具体的な内容は後述する。ステップＳ１９０でキーワード登録処理を実行したあと、または、ステップＳ１８０で未登録キーワードの登録操作がされていないときには、ＣＰＵ１２は、検索用キーワードとしてのアイコンの増減操作がされたか否かを判定し（ステップＳ２００）、アイコンの増加操作がされたときには検索用アイコン表示部８３ｃにアイコンを追加し、アイコンの減少操作がされたときには検索用アイコン表示部８３ｃからアイコンを削除する（ステップＳ２１０）。ここでは、自動読出アイコン表示部８３ｄに表示されているアイコンにカーソル８３ｇを配置し増減キー４４ｅの「＋」キーを押下すると、カーソル８３ｇの配置されているアイコンが検索用のアイコンとして選択され、検索用アイコン表示部８３ｃに追加されるように設定されている。一方、検索用アイコン表示部８３ｃのアイコンにカーソル８３ｇを配置し増減キー４４ｅの「−」キーを押下すると、カーソル８３ｇの配置されているアイコンが検索用のアイコンから解除されるように設定されている。なお、アイコンにカーソル８３ｇを配置すると、そのアイコンに対応付けられた被検索用キーワードが対応キーワード表示部８３ｆに文字表示される。また、上記操作を行うことにより、代替アイコンも検索用のアイコンとして選択したり検索用のアイコンから解除したりできるよう設定されている。
【００３７】
ステップＳ２１０のあと、または、ステップＳ２００でアイコンの増減操作がされていないときには、ＣＰＵ１２は、他の検索条件の入力がされたか否かを判定し（ステップＳ２２０）、他の検索条件の入力がされたときには、入力された検索条件に応じて画面表示を行う（ステップＳ２３０）。ここで、他の検索条件の入力について説明する。具体的には、絞込条件設定入力部８３ｂにカーソル８３ｇを配置し左右キー４４ｂを押下すると、被検索用キーワードをＡＮＤ条件で検索する「すべて（ＡＮＤ）」や、被検索用キーワードをＯＲ条件で検索する「いずれか（ＯＲ）」や、被検索用キーワードでの検索は行わない「なし」などが設定可能である。また、作成日時条件入力部８３ｅにカーソル８３ｇを配置し増減キー４４ｅを押下すると、指定日以降のアセットを検索する「以降」や、指定日に一致するアセットを検索する「一致」や、指定日以前のアセットを検索する「以前」や、日付による検索は行わない「なし」などが設定可能である。この検索条件としての作成日時の数値は、ユーザが左右キーの押下により数値を変更する位置を指定し、増減キー４４ｅの「＋」キーを押下して数値を増加させ増減キー４４ｅの「−」キーを押下して数値を減少させることにより入力する。なお、操作方法表示バー８３ｈの表示内容は、例えば絞込条件設定力部８３ｂや自動読出アイコン表示部８３ｄにカーソル８３ｇが配置しているときなど、カーソル８１ｇの配置位置に応じた操作方法に変更されるようになっている。
【００３８】
そして、ステップＳ２３０のあと、または、ステップＳ２２０で他の検索条件が入力されていないときには、ＣＰＵ１２は、アセット検索の実行指示があったか否かを判定する（ステップＳ２４０）。検索の実行指示があったか否かの判定は、決定キー４４ｂが押下されたか否かに基づいて行う。なお、ここでは、検索用アイコン表示部８３ｃにアイコンが１つも配置されていないときには、決定キー４４ｂの押下が受け付けられないように設定されている。
【００３９】
ステップＳ２４０でアセット検索の実行指示がなかったときには、ＣＰＵ１２は、ステップＳ１８０〜Ｓ２４０の処理を繰り返す。ここで、図１１及び図１２を用いて、検索条件を設定する動作について説明する。図１１に示すように、対応キーワード表示部８３ｆにはカーソル８３ｇが配置されているアイコンに対応する被検索用キーワードが文字表示されている。ユーザは、アイコン画像と被検索用キーワードの文字表示を確認し、増減キー４４ｅの「＋」キーを押下する。すると、ＣＰＵ１２は、検索用アイコン表示部８３ｃにカーソル８３ｇの配置されたアイコンを追加する（図１２参照）。このとき、ユーザは、操作部４４を操作することにより、絞込条件設定入力部８３ｂや作成日時条件入力部８３ｅなどの検索条件も入力する。このように、ユーザにより検索条件が設定される。
【００４０】
さて、ステップＳ２４０で、アセット検索の実行指示があったときには、ＣＰＵ１２は、検索条件設定画面８３に入力されている検索条件に適合するアセットを検索する（ステップＳ２５０）。具体的には、検索用アイコン表示部８３ｃに表示されたアイコンに対応する被検索用キーワードに絞込条件設定入力部８３ｂに入力されている条件に適合するアセットを検索し、該キーワードにヒットしたアセットのうち作成日時条件入力部８３ｅに入力された条件を満たすものを更に検索する。なお、アセットの検索は、ルートマニフェスト６１やマニフェスト７１の各アセット情報に含まれている作成日時欄やキーワード欄の内容を読み出し、検索条件に適合するか否かを判定することによって実行する。そして、ＣＰＵ１２は、検索条件に適合するアセットの画像を読み出し該読み出した画像を表示部４２に表示させ（ステップＳ２６０）、このルーチンを終了する。ここでは、読み出した画像のサムネイル画像を表示部４２に並べて配置するように設定されている。その後、ステップＳ２６０で表示したアセットの画像がユーザによって選択され印刷指示がなされると、ＣＰＵ１２は、印刷処理を実行する。具体的には、ＣＰＵ１２は、ユーザからの印刷指示を受信すると、プリンタＡＳＩＣ３２へ印刷指令を行う。印刷指令を受けると、プリンタＡＳＩＣ３２は、ＲＡＭ１４の印刷バッファ１４ａに記憶された印刷データをビットマップ展開し、図示しない駆動モータを駆動して搬送ローラ３８を回転させて記録紙Ｓを搬送し、圧力発生部３５への電圧を制御することによりビットマップに展開した画像データに基づいて記録紙Ｓに画像を印刷する。
【００４１】
続いて、ステップＳ１９０のキーワード登録処理について説明する。代替アイコンにカーソル８７ｇが配置され詳細メニューキー４４ｆが押下されると、ＣＰＵ１２は、キーワード登録画面８７を表示部４２に表示する。図１３は、キーワード登録画面８７の説明図であり、（ａ）が未登録キーワードのアイコンへの登録前、（ｂ）が未登録キーワードのアイコンへの登録後を表す図である。このキーワード登録画面８７は、処理内容を確認可能な処理情報表示バー８７ａと、選択した代替アイコンに対応する未登録キーワードを文字表示する未登録キーワード表示部８７ｂと、予め用意されたアイコン画像を表示するキーワードアイコン表示部８７ｃと、操作方法を確認可能な操作方法表示バー８７ｅと、選択中のアイコンに対応付けられた被検索用キーワードを文字表示する対応キーワード表示部８７ｄと、アイコンなどを選択するカーソル８７ｇとにより構成されている。なお、代替アイコンにカーソル８７ｇが配置され詳細メニューキー４４ｆが押下されると、該選択された代替アイコンに対応する未登録キーワードを未登録キーワード表示部８７ｂへ入力するよう設定されている。また、キーワードアイコン表示部８７ｃは、キーワードアイコン表示部８１ｄと同様に、被検索用キーワードが既に割り当てられているアイコンがグレーアウトした状態で表示されるように設定されている。図１３（ａ）に示すように、キーワードアイコン表示部８７ｃに通常の態様で表示されているアイコンにカーソル８７ｇを配置し増減キー４４ｅの「＋」キーがユーザにより押下されると、未登録キーワード表示部８７ｂに表示された被検索用キーワード、つまりユーザが指定した代替アイコンに対応する被検索用キーワードがカーソル８７ｇの配置されたアイコンに対応付けられてアイコン対応情報１５ａに登録される。すると、ＣＰＵ１２は、図１３（ｂ）に示すように、キーワードが対応付けられていないアイコンが最後尾から並ぶようにソートしてアイコンを再配置すると共に対応キーワード表示部８７ｄにこの被検索用キーワードを文字表示させる。なお、ユーザにより既にキーワードが登録済みのアイコンが指定されたときには、以前に登録されていた被検索用キーワードを削除すると共に新たな被検索用キーワードを登録する。
【００４２】
ここで、本実施例の構成要素と本発明の構成要素との対応関係を明らかにする。本実施例の表示部４２が本発明の表示手段に相当し、コントローラ１１が取得手段、表示制御手段、登録手段、付与手段、設定手段及び検索手段に相当し、フラッシュメモリ１５が情報記憶手段に相当し、プリンタ部３０が印刷ユニットに相当する。また、ルートマニフェスト６１及びマニフェスト７１がファイル管理情報に相当する。なお、本実施例では、マルチファンクションプリンタ１０の動作を説明することにより本発明のファイル検索方法の一例も明らかにしている。
【００４３】
以上詳述した本実施例のマルチファンクションプリンタ１０によれば、メモリカード１８内に含まれるアセットに対応付けられた被検索用キーワードを取得し、該取得した被検索用キーワードをユーザが検索用キーワードとして選択可能な態様で検索条件設定画面８３の自動読出アイコン表示部８３ｄにアイコン表示する。つまり、ユーザが検索用キーワードとして選択可能なキーワードには、検索対象となるメモリカード１８に記憶されたアセットに対応付けられたすべての被検索用キーワードのみが含まれている。したがって、キーワード検索おいてユーザが検索用に設定するキーワードの適合率を高めることができる。換言すると、検索範囲であるメモリカード１８内に含まれていないキーワード（ヒットすることのないキーワード）をユーザが検索用キーワードとして入力することができないため、効率よくアセットの検索を行うことができる。また、被検索用キーワードに対応するアイコンを表示部４２に表示させるため、被検索用キーワードを視覚的に認識しやすい。
【００４４】
また、アセットのメタデータに含まれているキーワード欄から該アセットに対応付けられた被検索用キーワードを取得するため、プリンタのフラッシュメモリ１５に被検索用キーワードとして記憶されていないものであっても、アセットの被検索用キーワードとして確実に取得することができる。更にまた、メモリカード１８から読み出した被検索用キーワードがフラッシュメモリ１５に予め記憶されたアイコンに対応付けられていない未登録キーワードであるときには、該未登録キーワードに対応するアイコンとして所定の代替アイコンを表示するため、アイコンに対応付けられて記憶されていない被検索用キーワードもアイコン表示することができる。そして、代替アイコンに対応する未登録の被検索用キーワードをユーザが自分の好みで選択したアイコンに対応付けて登録する際にキーワードの入力の手間がいらない。そしてまた、ユーザが未登録キーワードをフラッシュメモリ１５に登録するに際して、未登録キーワードと該未登録キーワードに対応付けるアイコンとが１画面上に表示されるため、どのアイコンに未登録キーワードを対応付けるかを確認しやすい。そして更に、被検索用キーワードを付与したいアセットと被検索用キーワードが対応付けられているアイコンとをユーザが選択すると該アイコンに対応付けられているキーワードを該アセットに対応付けるため、既にアイコンに被検索用キーワードが対応付けられているときには、そのアイコンを選択するだけで面倒な文字入力を行わずにキーワードを入力することができる。このように、アイコン対応情報１５ａを利用してできる限り文字入力の手間を省くことができる。
【００４５】
更に、例えば対応キーワード表示部８１ｅ、対応キーワード表示部８３ｆ及び対応キーワード表示部８７ｄなど、現在選択されているアイコンに対応する被検索用キーワードの文字を該アイコンと共に表示部４２に表示させるため、アイコンに対応する被検索用キーワードを文字によって確認することができる。特に、代替アイコンが選択されているときには、該代替アイコンに対応する被検索用キーワードを文字で確認することができる。また、メモリカード１８から読み出した被検索用キーワードを検索用キーワードとして選択可能な態様で表示部４２に表示すると共に、設定された検索用キーワードを表示部４２に表示するため、検索対象アセットの被検索用キーワードから検索用キーワードを容易に選択可能であると共に被検索用キーワードと検索用キーワードとを同時に確認可能であり、検索条件を設定しやすい。そして、メモリカード１８に記憶されたアセットのメタデータを含み該含んだメタデータを用いて該ファイルを取得可能に作成されたマニフェストからアセットに対応付けられた被検索用キーワードを取得するため、被検索用キーワードを各アセット自体から読み出して取得するのに比べて容易に被検索用キーワードを取得することができる。そして、印刷装置は、例えば携帯用の記憶媒体（メモリカードやＣＤ−Ｒなど）に記憶した複数のファイルから目的のファイルを検索して印刷実行することが多く、ファイルを検索する必要性が高いため、本発明を適用する意義が高い。
【００４６】
なお、本発明は上述した実施例に何ら限定されることはなく、本発明の技術的範囲に属する限り種々の態様で実施し得ることはいうまでもない。
【００４７】
例えば、上述した実施例では、メモリカード１８から読み出した被検索用キーワードやアセットの検索条件としての検索用キーワードを表示部４２にアイコン表示するとしたが、これら被検索用キーワードや検索用キーワードを表示部４２に文字表示してもよい。図１４は、検索条件設定画面８４の説明図である。この検索条件設定画面８４では、検索条件としての検索用キーワードを入力可能な検索用キーワード表示部８４ｃや、メモリカード１８に含まれているすべてのキーワードが読み出されて表示される自動読出キーワード表示部８４ｄには、キーワードが文字表示されるように設定されている。そして、自動読出キーワード表示部８４ｄに表示された被検索用キーワードにカーソル８４ｇを配置し「＋」キー４４ｅを押下すると検索用キーワード表示部８４ｃにキーワードが入力される。こうしても、ユーザが検索用キーワードとして選択可能な被検索用キーワードはメモリカード１８に含まれる被検索用キーワードのみであるため、キーワード検索おいてユーザが検索用に設定するキーワードの適合率を高めることができる。
【００４８】
また、上述した実施例では、図６のキーワード付与ルーチンで被検索用キーワードをアイコン入力するとしたが、手動入力可能としてもよい。具体的には、キー操作によるキーワード入力は、ユーザがキーワード入力部８１ｃにカーソル８１ｇを移動し、カーソルキー４４ａの左右キーを押下して入力位置の変更を行い、増減キー４４ｅの「＋」キーを押下することによりアルファベットの文字などを順送りに変更したり、増減キー４４ｅの「−」キーを押下することによりアルファベットの文字などを逆送りに変更したり、表示切替キー４４ｃを押下することによりアルファベットの大文字，アルファベットの小文字，仮名文字、記号及び数字などの順に切り替えたりすることにより行うように設定されている。なお、手動入力された被検索用キーワードがアイコンに対応付けられていないときには、付与アイコン表示部８１ｂには代替アイコンを表示させる。こうすれば、新たな被検索用キーワードをアセットに対応付けることができる。なお、アイコン入力した際も、キーワード入力部８１ｃにカーソル８１ｇを移動し上記操作を行うことにより手動で文字の変更ができるようにしてもよい。
【００４９】
更に、上述した実施例では、アセットへのキーワード付与処理とアイコンへのキーワード登録処理とを別々に行うとしたが、図１５に示すように、それぞれの処理を切り替えて実行可能にしてもよい。図１５は、キーワード付与画面８１とキーワード登録画面８７との切り替えの説明図であり、（ａ）がキーワード付与画面８１の表示図、（ｂ）がキーワード登録画面８７の表示図である。具体的には、キーワード付与タグを設けた上述のキーワード付与画面８１とアイコン登録タグを設けた上述のキーワード登録画面８７とを、カーソルキー４４ａの操作によりいずれかのタグを選択し、左右キー４４ａの操作により各画面を切り替え可能とする。こうすれば、新たに作成したアセットに新たな被検索用キーワードを付与する際には該被検索用キーワードをアイコンに登録したいことが多いことから、キーワードの付与・登録操作の効率を高めることができる。
【００５０】
更にまた、上述した実施例では、各アセットのメタデータであるアセット情報のキーワード欄に被検索用キーワードを登録するとしたが、アルバム情報に被検索用キーワードを登録可能としてもよい。アルバム情報に被検索用キーワードを登録したときには、アルバムに含まれているすべてのアセット情報に該キーワードが付与されたものとみなしてもよい。こうすれば、例えば特定の行事（運動会など）や特定の人（お父さんなど）でまとめられたアルバムに含まれるアセットに一度の操作で同じ被検索用キーワードが付与されるため、各アセットに個別にキーワードを付与する手間を省くことができる。なお、コントローラ１１は、ステップＳ１２０で被検索用キーワードを読み出す際にアセット情報からも該被検索用キーワードを読み出すようにしてもよい。
【００５１】
そして、上述した実施例では、未登録キーワードを表示するための代替アイコンは、未登録キーワードが複数あっても同じ代替アイコンを表示部４２に表示するとしたが（図１１参照）、それぞれ異なる代替アイコン（例えば、異なる番号を付与する、異なる表示色とするなど）を表示部４２に表示してもよい。こうすれば、対応する未登録キーワードの異なる複数の代替アイコンを区別しやすい。
【００５２】
そしてまた、上述した実施例では、メモリカード１８に含まれるすべての被検索用キーワードを読み出すとしたが、ユーザーにより指定された検索対象範囲から被検索用キーワードを読み出すようにしてもよい。例えば、検索条件設定画面８３において、メモリカード１８に含まれる被検索用キーワードのうち作成日時条件入力部８３ｅに入力された範囲から被検索用キーワードを読み出すようにしてもよいし、フォルダやアルバムやファイル形式などを指定可能とするように検索条件設定画面８３を構成し、これらをユーザが指定し該指定した範囲からキーワードを読み出すようにしてもよい。こうしても、キーワード検索おいてユーザが検索用に設定するキーワードの適合率を高めることができる。
【００５３】
そして更に、上述した実施例では、メモリカード１８にＭＰＶ形式で記憶されたアセットを検索する場合について説明したが、外部記憶装置５２にセットされた光ディスクＮ（ＣＤ−Ｒなど）にＭＰＶ形式で記憶されたアセットの検索に用いてもよいし、入出力部１９に接続されたＨＤＤにＭＰＶ形式で記憶されたアセットの検索に用いてもよい。
【００５４】
そして更にまた、上述した実施例では、ＭＰＶ形式で保存された静止画ファイルの検索に適用する場合ついて説明したが、他のＭＰＶファイル（例えば動画ファイルや音楽ファイルなど）の検索に適用してもよい。また、特にＭＰＶ形式で保存されたファイルに限定されず、例えばＤＣＦ（Ｄｅｓｉｇｎ  ｒｕｌｅ  ｆｏｒ  Ｃａｍｅｒａ  Ｆｉｌｅ  ｓｙｓｔｅｍ）方式に従って保存された画像ファイルの検索に適用してもよいし、他のファイル（例えば文書ファイルなど）の検索に適用してもよい。このとき、被検索用キーワードは、検索対象ファイルに設けられたキーワード欄に記憶し、該キーワード欄から読み出してもよい。
【００５５】
また、上述した実施例では、インクジェット方式を採用したフルカラーのプリンタ機構３１としたが、電子写真方式のカラーレーザプリンタや、熱転写式のカラープリンタや、ドットインパクト方式のプリンタとしてもよいし、これらのモノクロプリンタとしてもよい。また、スキャナ部２０を搭載したマルチファンクションプリンタ１０としたが、ＦＡＸ機やコピー機などの複合印刷装置としてもよいし、スキャナ部２０を省略した印刷装置としてもよい。また、パソコン、デジカメ及びデジタルビデオなどの画像処理機器に本発明を適用してもよい。また、上述した実施例では、デジタルカメラ５０で撮影した画像の検索について説明したが、スキャナ部２０でスキャンした画像の検索に適用してもよい。
【図面の簡単な説明】
【００５６】
【図１】本実施例のマルチファンクションプリンタ１０のブロック図である。
【図２】本実施例の操作パネル４０の説明図である。
【図３】本実施例のマニフェストの説明図である。
【図４】本実施例のアイコン対応情報１５ａの説明図である。
【図５】本実施例の情報表示画面８５の一例を表す説明図である。
【図６】本実施例のキーワード付与ルーチンである。
【図７】本実施例のキーワード付与画面８１の一例を表す説明図である。
【図８】本実施例のの情報表示画面８５の一例を表す説明図である。
【図９】本実施例のファイル検索ルーチンである。
【図１０】本実施例のキーワード一覧１４ｃの説明図である。
【図１１】本実施例の検索条件設定画面８３の説明図である。
【図１２】本実施例の検索用キーワードにアイコンを追加したときの説明図である。
【図１３】本実施例のキーワード登録画面８７の説明図である。
【図１４】別の検索条件設定画面８４の説明図である。
【図１５】キーワード付与とキーワード登録の画面の切り替えの説明図である。
【符号の説明】
【００５７】
１０  マルチファンクションプリンタ、１１  コントローラ、１２  ＣＰＵ、１３  ＲＯＭ、１３ａ  ファイル検索プログラム、１４  ＲＡＭ、１４ａ  スキャナバッファ、１４ｂ  印刷バッファ、１４ｃ  キーワード一覧、１５  フラッシュメモリ、１５ａ  アイコン対応情報、１６  リーダライタ、１７  スロット、１８  メモリカード、１９  入出力部、２０  スキャナ部、２１  スキャナ機構、２２  スキャナＡＳＩＣ、２３  ガラス面、２４  ラインイメージセンサ、２６  移動部、３０  プリンタ部、３１  プリンタ機構、３２  プリンタＡＳＩＣ、３４  インクカートリッジ、３５  圧力発生部、３６  吐出口、３８  搬送ローラ、４０  操作パネル、４２、表示部、４４  操作部、４４ａ  カーソルキー、４４ｂ  決定キー、４４ｃ  表示切替キー  ４４ｄ  戻りキー、４４ｅ  増減キー、４４ｆ  詳細メニューキー、４８  バス、５０  デジタルカメラ、５２  外部記憶装置、６１  ルートマニフェスト、６２  リンク情報、６２ａ  リンク名、６２ｂ  リンクパス、６３  アルバム情報、６３ａ  アルバム名、６４，６５，６７  ファイル情報、６４ａ  ファイル名、６４ｂ  ファイルパス、６４ｃ  アセット種別、６８  リンク情報、６８ａ  リンク名、６８ｂ  リンクパス、７１  マニフェスト、７３，７４  アセット情報、８１  キーワード付与画面、８１ａ，８３ａ，８４ａ，８７ａ  処理情報表示バー、８１ｂ  付与アイコン表示部、８１ｃ  キーワード入力部、８１ｄ，８３ｃ，８４ｃ，８７ｃ  キーワードアイコン表示部、８１ｅ，８３ｄ，８７ｄ  対応キーワード表示部、８１ｆ，８３ｈ，８４ｈ，８５ｄ，８７ｅ  操作方法表示バー、８１ｇ，８３ｇ，８４ｇ，８７ｇ  カーソル、８１ｈ，８５ｃ  縮小画像表示部、８３  検索条件設定画面、８３ｂ  絞込条件設定入力部、８３ｃ  検索用アイコン表示部、８３ｄ  自動読出アイコン表示部、８３ｅ  作成日時条件入力部、８５  情報表示画面、８５ａ  アセット種別表示バー、８５ｂ  メタデータ表示部、８７  キーワード登録画面、８７ｂ  未登録キーワード表示部、Ｍ  媒体、Ｎ  光ディスク、Ｓ  記録紙。
【図１】
2006330996.tif 000003
【図２】
2006330996.tif 000004
【図３】
2006330996.tif 000005
【図４】
2006330996.tif 000006
【図５】
2006330996.tif 000007
【図６】
2006330996.tif 000008
【図７】
2006330996.tif 000009
【図８】
2006330996.tif 000010
【図９】
2006330996.tif 000011
【図１０】
2006330996.tif 000012
【図１１】
2006330996.tif 000013
【図１２】
2006330996.tif 000014
【図１３】
2006330996.tif 000015
【図１４】
2006330996.tif 000016
【図１５】
2006330996.tif 000017